(57)【要約】【課題】情報表示層を電極層に接着するための粘着剤層によって配線による視認性低下が生じてしまうことを回避する。【解決手段】情報表示層３０に積層された粘着剤層４０の情報表示層３０とは反対側の表面にシート状接着テープ５０を貼着することにより、粘着剤層４０が溶融した場合でも、粘着剤層４０がシート状接着テープ５０によって堰き止められ、配線１２ｅに接することを回避する。【選択図】図２
2015175866.tif 000002
【特許請求の範囲】
【請求項１】
ベース基材上に形成された第１の電極層と、前記第１の電極層の前記ベース基材とは反対側に対向配置された第２の電極層と、前記第１の電極層と前記第２の電極層との間に挟み込まれ、前記第１の電極層側に加熱により溶融する粘着剤層が積層された情報表示層とを有し、前記第１の電極層が、複数の電極、または、複数の電極と、前記ベース基材上における形成高さが前記電極と同一となる土手部材とからなり、前記複数の電極に第１及び第２の電圧のいずれか一方を選択的に印加することにより、前記情報表示層を一方の面側から見た場合に、前記情報表示層の前記第１の電圧が印加された電極に対向する領域と前記情報表示層の前記第２の電圧が印加された電極に対向する領域とで互いに異なる色を表示する情報表示装置において、
前記複数の電極に電圧を印加するための配線が前記ベース基材上に形成され、該配線の両側に沿って、前記複数の電極のうち当該配線によって電圧が印加される電極以外の電極または土手部材が形成され、
前記配線は、前記ベース基材上における形成高さが、前記第１の電極層の前記ベース基材上における形成高さよりも低く、
前記粘着剤層の前記情報表示層とは反対側の表面のうち、少なくとも前記配線の両側に沿う２つの前記電極または前記土手部材の当該配線に沿う端部に対向する領域間に渡って、絶縁性を具備するシート状接着テープが貼着されていることを特徴とする情報表示装置。
【発明の詳細な説明】
【技術分野】
【０００１】
本発明は、対向配置された２つの電極層に挟み込まれた情報表示層において電極層に印加される電圧に基づいて情報を表示する情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図６は、一般的な電気泳動ディスプレイの積層構造を示す図であり、（ａ）は全体の積層構造を示す図、（ｂ）は（ａ）に示したＡ部拡大図である。
【０００５】
一般的な電気泳動ディスプレイは図６（ａ）に示すように、ガラスや透明フィルム等からなる透明基板１２２の一方の面に透明電極（例えば、ＩＴＯ：Indium Tin Oxide）１２１が形成されてなる透明導電膜基板１２０と、ベース基材１１３上に積層された絶縁層１１５との間に情報表示層１３０が挟み込まれて構成されている。
【０００６】
絶縁層１１５の情報表示層１３０に対向する面上には、情報表示層１３０を用いて情報を表示するための複数の表示電極１１１が形成されており、また、絶縁層１１５の情報表示層１３０とは反対側の面には、表示電極１１１に電圧を印加するための配線１１２が形成されており、複数の表示電極１１１は、絶縁層１１５に形成された導通部１１６を介して配線１１２に接続されている。
【０００７】
情報表示層１３０は、図６（ｂ）に示すように、隔壁１３１とシール層１３４とで囲まれた領域に、帯電性粒子１３３が分散した隔壁内液体１３２が収容されて構成されている。隔壁１３１は、底部と、情報表示層１３０の外周部となる側部と、側部で囲まれた領域を複数の領域に区画するための壁部とからなり、底部とは反対側の面が開口した形状となっている。そして、底部側がベース基材１１３に対向するように積層されており、開口した側にシール層１３４が積層されている。このように構成された情報表示層１３０は、ベース基材１１３側にホットメルト等の粘着剤が塗布されることによって積層された粘着剤層１４０によって表示電極１１１と接着されている。
【０００８】
上記のように構成された電気泳動ディスプレイにおいては、表示電極１１１に選択的に電圧が印加されると、隔壁内液体１３２内にて帯電性粒子１３３がクーロン力で移動し、表示電極１１１と透明電極１２１のいずれか一方の側に引き寄せられる。そして、隔壁内液体１３２が染料または顔料で着色されており、帯電性粒子１３３が高屈折率の光散乱成分を含むため、透明導電膜基板１２０側から見た場合、表示電極１１１側に帯電性粒子１３３が引き寄せられた領域が着色された状態に見え、また、透明電極１２１側に帯電性粒子１３３が引き寄せられた領域が白色に見え、これら見える色の違いによって所望の情報が表現されることになる。
【０００９】
ここで、上述したような電気泳動ディスプレイにおいては、表示電極１１１と配線１１２とを接続するために絶縁層１１５に導通部１１６を形成する必要があるが、表示電極１１１に電圧を印加するための配線１１２を複数の表示電極１１１間に配置することにより、絶縁層１１５に導通部１１６を形成する必要がなくなり、そのための工程が不要となり、さらには、絶縁層１１５自体も不要となり、コストダウンを図ることができる。
【００１０】
ところが、複数の表示電極１１１間に配線１１２を配置した場合、表示電極１１１に配線１１２を介して選択的に電圧が印加されると、情報表示部１３０の配線１１２に対向する領域においても、上述したように隔壁内液体１３２内にて帯電性粒子１３３がクーロン力で移動し、透明導電膜基板１２０側から見た場合、配線１１２側に帯電性粒子１３３が引き寄せられた領域が着色された状態に見え、また、透明電極１２１側に帯電性粒子１３３が引き寄せられた領域が白色に見え、そのため、表示電極１１１によって表示される情報の視認性が低下してしまう。
【００１１】
そこで、配線１１２のベース基材１１３上における形成高さを、その配線１１２に隣接する表示電極１１１のベース基材１１３上における形成高さよりも低くすることにより、情報表示層１３０の配線１１２に対向する領域において、配線１１２と情報表示層１３０との間隔を広くすることで配線１１２に印加された電圧の影響を受けにくくし、それにより、表示電極１１１によって表示される情報の視認性の低下を回避する技術が考えられている（例えば、特許文献１参照。）。
【００１２】
また、ベース基材上に表示電極が島状に孤立した状態で形成された構成において、孤立した表示電極に電圧を印加するための配線のベース基材上における形成高さを表示電極の形成高さよりも低くするとともに、ベース基材上における形成高さが配線の形成高さよりも高い土手部材を配線の両側に沿って形成することにより、上記同様に、情報報表示層の配線に対向する領域において、配線と情報表示層との間隔を広くすることで配線に印加された電圧の影響を受けにくくし、それにより、表示電極によって表示される情報の視認性の低下を回避する技術が考えられている（例えば、特許文献２参照。）。
【先行技術文献】
【特許文献】
【００１３】
【特許文献１】特開２０１１−１５００６６号公報
【特許文献２】特開２０１１−１５００６５号公報
【発明の概要】
【発明が解決しようとする課題】
【００１４】
一般に、上述した電気泳動ディスプレイのような積層構造を有する情報表示装置においては、加熱しながら加圧するラミネート加工を施すことにより、情報表示層に積層された粘着剤層によって情報表示層を表示電極やベース基材に接着させることになる。
【００１５】
図７は、表示電極とそれに接続された配線とがベース基材の同一面に形成された情報表示装置において、加熱しながら加圧するラミネート加工を施すことにより情報表示層を表示電極やベース基材に接着させた際の配線近傍の状態を示す部分断面図である。
【００１６】
図７に示すように、情報表示層２３０を表示電極２１１ａ，２１１ｄやベース基材２１３に粘着剤層２４０によって接着する場合、ラミネート加工の際の加熱によって粘着剤層２４０が溶融する。そのため、上述したように、配線２１２ｅのベース基材２１３上における形成高さを表示電極２１１ａ，２１１ｄよりも低くした場合、溶融した粘着剤層２４０がダレて配線２１２ｅに接触してしまうことになる。
【００１７】
すると、粘着剤層２４０を構成する粘着剤が空気よりも誘電率が高いことから、情報表示部２３０の配線２１２ｅに対向する領域においても、配線２１２ｅに印加された電圧の影響を受け、隔壁内液体２３２内にて帯電性粒子２３３がクーロン力で移動し、情報の視認性が低下してしまうことになる。
【００１８】
このような問題点は、特許文献２に開示された土手部材を用いた情報表示装置においても、同様に生じるものである。
【００１９】
本発明は、上述したような従来の技術が有する問題点に鑑みてなされたものであって、情報表示層を電極層に接着するための粘着剤層によって配線による視認性低下が生じてしまうことを回避できる情報表示装置を提供することを目的とする。
【課題を解決するための手段】
【００２０】
上記目的を達成するために本発明は、
ベース基材上に形成された第１の電極層と、前記第１の電極層の前記ベース基材とは反対側に対向配置された第２の電極層と、前記第１の電極層と前記第２の電極層との間に挟み込まれ、前記第１の電極層側に加熱により溶融する粘着剤層が積層された情報表示層とを有し、前記第１の電極層が、複数の電極、または、複数の電極と、前記ベース基材上における形成高さが前記電極と同一となる土手部材とからなり、前記複数の電極に第１及び第２の電圧のいずれか一方を選択的に印加することにより、前記情報表示層を一方の面側から見た場合に、前記情報表示層の前記第１の電圧が印加された電極に対向する領域と前記情報表示層の前記第２の電圧が印加された電極に対向する領域とで互いに異なる色を表示する情報表示装置において、
前記複数の電極に電圧を印加するための配線が前記ベース基材上に形成され、該配線の両側に沿って、前記複数の電極のうち当該配線によって電圧が印加される電極以外の電極または土手部材が形成され、
前記配線は、前記ベース基材上における形成高さが、前記第１の電極層の前記ベース基材上における形成高さよりも低く、
前記粘着剤層の前記情報表示層とは反対側の表面のうち、少なくとも前記配線の両側に沿う２つの前記電極または前記土手部材の当該配線に沿う端部に対向する領域間に渡って、絶縁性を具備するシート状接着テープが貼着されていることを特徴とする。
【００２１】
上記のように構成された本発明においては、情報表示層を第１の電極層に接着する粘着剤層が情報表示層に積層されているが、粘着剤層の情報表示層とは反対側の表面のうち、少なくとも配線の両側に沿う２つの電極または土手部材の当該配線に沿う端部に対向する領域間に渡って、絶縁性を具備するシート状接着テープが貼着されているので、情報表示層と第１の電極層とを接着する際に粘着剤層が溶融しても、シート状接着テープが貼着されている領域においては、溶融した粘着剤層がシート状接着テープによって堰き止められ、ベース基材上における形成高さが第１の電極層よりも低い配線に接触することが回避されることになる。これにより、情報表示層においては、配線に対向する領域が配線に印加された電圧の影響を受けることがなくなり、配線による視認性低下が回避される。
【発明の効果】
【００２２】
本発明においては、情報表示層を第１の電極層に接着するために情報表示層に積層された粘着剤層の情報表示層とは反対側の表面のうち、少なくとも配線の両側に沿う２つの電極または土手部材の当該配線に沿う端部に対向する領域間に渡って、絶縁性を具備するシート状接着テープが貼着されているため、情報表示層と第１の電極層とを接着する際に粘着剤層が溶融しても、シート状接着テープが貼着されている領域においては、溶融した粘着剤層がシート状接着テープによって堰き止められ、配線に接触することが回避されることになり、情報表示層を電極層に接着するための粘着剤層によって配線による視認性低下が生じることを回避できる。
【図面の簡単な説明】
【００２３】
【図１】本発明の情報表示装置に用いられる表示装置用電極基板の実施の一形態を示す図であり、（ａ）は表面から見た図、（ｂ）は（ａ）に示したＡ−Ａ’断面図である。
【図２】図１に示した表示装置用電極基板を用いた情報表示装置の実施の一形態を示す図であり、（ａ）は表示装置用電極基板が図１（ｂ）に示した部分に相当する領域の断面図、（ｂ）は（ａ）に示したＡ部拡大図である。
【図３】図２に示した情報表示装置にて“０”を表示させる際の動作を説明するための図である。
【図４】図２に示した情報表示装置における情報の見え方を説明するための図である。
【図５】図２に示した情報表示装置においてシート状接着テープが情報表示に及ぼす影響を説明するための図であり、（ａ）はシート状接着テープの材質による影響を示す図、（ｂ）はシート状接着テープの厚さによる影響を示す図である。
【図６】一般的な電気泳動ディスプレイの積層構造を示す図であり、（ａ）は全体の積層構造を示す図、（ｂ）は（ａ）に示したＡ部拡大図である。
【図７】表示電極とそれに接続された配線とがベース基材の同一面に形成された情報表示装置において、加熱しながら加圧するラミネート加工を施すことにより情報表示層を表示電極やベース基材に接着させた際の配線近傍の状態を示す部分断面図である。
【発明を実施するための形態】
【００２４】
以下に、本発明の実施の形態について図面を参照して説明する。
【００２５】
図１は、本発明の情報表示装置に用いられる表示装置用電極基板の実施の一形態を示す図であり、（ａ）は表面から見た図、（ｂ）は（ａ）に示したＡ−Ａ’断面図である。
【００２６】
本形態における表示装置用電極基板は図１に示すように、ＰＥＴ等からなるベース基材１３の一方の面に、第１の電極層を構成する複数の表示電極１１ａ〜１１ｉと、表示電極１１ａ〜１１ｉに電圧を印加するための複数の配線１２ａ〜１２ｉとが形成されて構成されている。
【００２７】
表示電極１１ａ〜１１ｉは、ベース基材１３の一方の面上に、表示される情報に応じたパターンで形成されている。本形態は、この表示電極１１ａ〜１１ｉを用いて数字を表示するものであって、表示電極１１ａ〜１１ｉによって９つのセグメントからなる表示部を構成し、ベース基材１３上に形成された配線１２ａ〜１２ｉを介して、この表示電極１１ａ〜１１ｉに対して選択的に電圧が印加され、“０”〜“９”までの数字を表示することができる。
【００２８】
また、表示電極１１ａ〜１１ｉに電圧を印加するための複数の配線１２ａ〜１２ｉは、その一端がそれぞれ表示電極１１ａ〜１１ｉに接続され、そこから９つのセグメントからなる表示部の外部に引き出され、他端が、表示電極１１ａ〜１１ｉに選択的に電圧を印加するための回路（不図示）に接続されている。ここで、表示電極１１ａ〜１１ｄ，１１ｆ〜１１ｉに電圧を印加するための配線１２ａ〜１２ｄ，１２ｆ〜１２ｉは、表示電極１１ａ〜１１ｄ，１１ｆ〜１１ｉの外側に他の表示電極が存在しないことから、表示電極１１ａ〜１１ｄ，１１ｆ〜１１ｉに接続された一端からそのまま表示部の外部に引き出されているが、表示電極１１ｅに電圧を印加するための配線１２ｅは、表示電極１１ｅが他の表示電極１１ａ〜１１ｄ，１１ｆ〜１１ｉに囲まれて配置されているため、表示電極１１ｅに接続された一端から、互いに隣接する２つの表示電極１１ａ，１１ｄ間を通って表示部の外部に引き出されている。また、表示電極１１ａ〜１１ｉ及び配線１２ａ〜１２ｉは、上述したようにベース基材１３の同一面に形成されているが、配線１２ａ〜１２ｉのベース基材１３上における形成高さが、表示電極１１ａ〜１１ｉのベース基材１３上における形成高さよりも低くなっている。
【００２９】
上記のように構成された表示装置用電極基板１０においては、ベース基材１３上に印刷を施すことによって表示電極１１ａ〜１１ｉ及び配線１２ａ〜１２ｉを形成することができる。例えば、ベース基材１３上に、銀ペーストやカーボンペースト等の導電ペーストや導電インキを用いてスクリーン印刷によって表示電極１１ａ〜１１ｉ及び配線１２ａ〜１２ｉを印刷することが考えられる。このようにスクリーン印刷によって表示電極１１ａ〜１１ｉ及び配線１２ａ〜１２ｉを形成した場合、配線１２ａ〜１２ｉの幅が狭いことから、表示電極１１ａ〜１１ｉが形成される領域における導電ペーストや導電インキの塗布量と、配線１２ａ〜１２ｉが形成される領域における導電ペーストや導電インキの塗布量とを互いに異ならせる制御を行わなくても、配線１２ａ〜１２ｉのベース基材１３上における形成高さを、表示電極１１ａ〜１１ｉのベース基材１３上における形成高さよりも低くすることができる。
【００３０】
以下に、上記のように構成された表示装置用電極基板１０を用いた情報表示装置について説明する。
【００３１】
図２は、図１に示した表示装置用電極基板１０を用いた情報表示装置の実施の一形態を示す図であり、（ａ）は表示装置用電極基板１０が図１（ｂ）に示した部分に相当する領域の断面図、（ｂ）は（ａ）に示したＡ部拡大図である。
【００３２】
本形態は図２に示すように、図１に示した表示装置用電極基板１０の表示電極１１ａ〜１１ｉ及び配線１２ａ〜１２ｉが形成された面上に、表示装置用電極基板１０の表示電極１１ａ〜１１ｉに印加された電圧に応じて情報を表示する情報表示層３０が積層され、この情報表示層３０上に透明導電膜基板２０が積層されて構成されている。
【００３３】
透明導電膜基板２０は、ガラスや透明フィルム等からなる透明基板２２の一方の面に第２の電極層となる透明電極（例えば、ＩＴＯ）２１が形成されて構成されており、表示電極１１ａ〜１１ｉと透明電極２１とが対向配置し、これら表示電極１１ａ〜１１ｉと透明電極２１との間に情報表示層３０が挟み込まれている。
【００３４】
情報表示層３０は、隔壁３１とシール層３４とで囲まれた領域に、帯電性粒子３３が分散した隔壁内液体３２が収容されて構成されている。そして、これら表示装置用電極基板１０、情報表示層３０及び透明導電膜基板２０は、透明電極２１と表示電極１１ａ〜１１ｉとが、隔壁３１とシール層３４とで囲まれた領域に収容された隔壁内液体３２を介して対向するように積層されている。なお、隔壁３１は、底部と、情報表示層３０の外周部となる側部と、側部で囲まれた領域を、例えば１３０μｍ□で複数の領域に区画するための壁部とからなり、底部とは反対側の面が開口した形状となっている。そして、底部側が表示装置用電極基板１０に対向するように積層されており、開口した側にシール層３４が積層されている。このように構成された情報表示層３０は、ベース基材１３側の全面にホットメルト等の加熱により溶融する粘着剤が塗布されることによって積層された粘着剤層４０と、この粘着剤層４０の情報表示層３０とは反対側の表面の全面に貼着されたシート状接着テープ５０とによって表示電極１１ａ〜１１ｉと接着されている。これにより、シート状接着テープ５０が表示電極１１ａ〜１１ｉのそれぞれと接着されていることになるが、シート状接着テープ５０が絶縁性材料からなるものであるため、表示電極１１ａ〜１１ｉ間が電気的に短絡してしまうことはない。なお、シート状接着テープ５０は、加熱されても溶融せず、フィルム状に形状が固定されたものであって、芯材の両面に粘着剤が塗布されたものであってもよい。
【００３５】
以下に、上記のように構成された情報表示装置１の動作について、図１に示した９つのセグメントを用いて“０”を表示する場合を例に挙げて説明する。
【００３６】
図３は、図２に示した情報表示装置１にて“０”を表示させる際の動作を説明するための図であり、（ａ）は表示電極１１ｅが形成された領域の近傍の断面を示す図、（ｂ）は表示電極１１ａ，１１ｄ及び配線１２ｅが形成された領域の近傍の断面を示す図である。
【００３７】
図２に示した情報表示装置１にて“０”を表示する場合、透明電極２１をＧＮＤ電位とし、また、ベース基材１３に形成された配線１２ａ〜１２ｉを介して、表示電極１１ａ〜１１ｄ，１１ｆ〜１１ｉにプラスの電圧を印加し、表示電極１１ｅにマイナスの電圧を印加する。
【００３８】
すると、隔壁３１及びシール層３４で囲まれた領域に収容された隔壁内液体３２が誘電性物質からなり、帯電性粒子３３がマイナス電位に帯電しているものであることから、帯電性粒子３３が隔壁内液体３２内をクーロン力で移動し、図３（ａ）に示すように、マイナスの電圧が印加された表示電極１１ｅが形成された領域においては帯電性粒子３３が透明電極２１側に引き寄せられる。また、同様に、プラスの電圧が印加された表示電極１１ａ〜１１ｄ，１１ｆ〜１１ｉが形成された領域においては、帯電性粒子３３が表示電極１１ａ〜１１ｄ，１１ｆ〜１１ｉ側に引き寄せられる。
【００３９】
そして、隔壁内液体３２が染料または顔料で着色されており、帯電性粒子３３が高屈折率の光散乱成分を含むため、この情報表示装置１を透明導電膜基板２０側から見た場合、表示電極１１ａ〜１１ｉ側に帯電性粒子３３が引き寄せられた領域、すなわち、表示電極１１ａ〜１１ｄ，１１ｆ〜１１ｉに対向する領域が着色された状態に見え、また、透明電極２１側に帯電性粒子３３が引き寄せられた領域、すなわち、表示電極１１ｅに対向する領域が白色に見え、それにより、表示電極１１ａ〜１１ｄ，１１ｆ〜１１ｉに対向する領域が着色された状態となった“０”が見えるようになる。なお、情報表示層３０のうち、表示電極１１ａ〜１１ｉに対向しない領域においては、帯電性粒子３３が隔壁内液体３２内に分散した状態となっており、それにより、情報表示装置１を透明導電膜基板２０側から見た場合、白色と着色された色との中間色に見えている。
【００４０】
なお、ベース基材１３、表示電極１１ａ〜１１ｉ及び配線１２ａ〜１２ｉとして透明な材料からなるものを用いることにより、表示電極１１ａ〜１１ｉと透明電極２１との間の電位差に応じた情報表示層３０の表示色の変化をベース基材１３側からでも視認することができる。
【００４１】
ここで、表示電極１１ｅに対向する領域においては、表示電極１１ｅにマイナスの電圧が印加されることにより、図３（ａ）に示すように帯電性粒子３３が透明電極２１側に引き寄せられているが、表示電極１１ｅには配線１２ｅを介してマイナスの電圧が印加されているため、配線１２ｅにもマイナスの電圧が印加されている状態となっており、そのため、配線１２ｅのベース基材１３上における形成高さが表示電極１１ｅと同じ場合、配線１２ｅに対向する領域においても、帯電性粒子３３が透明電極２１側に引き寄せられ、透明導電膜基板２０側から見た場合に白色に見えることとなる。ところが、この配線１２ｅは、２つの表示電極１１ａ，１１ｄ間を通って表示部の外部に引き出されているため、“０”を表示する場合のように、これら２つの表示電極１１ａ，１１ｄに対向する領域が着色した状態に見える場合、その間の領域が白色に見えてしまうと、表示電極１１ａ〜１１ｄ，１１ｆ〜１１ｉに対向する領域が着色された状態となった“０”が見えるものの、その“０”の中の一部に配線１２ｅの形状による白色の線が見えてしまい、“０”の視認性が低下してしまう。
【００４２】
そこで、配線１２ａ〜１２ｉのベース基材１３上における形成高さが、表示電極１１ａ〜１１ｉのベース基材１３上における形成高さよりも低くなっており、それにより、配線１２ａ〜１２ｉと情報表示層３０との間隔が、表示電極１１ａ〜１１ｉと情報表示層３０との間隔よりも広くなっている。さらに、粘着剤層４０の情報表示層３０とは反対側の表面、すなわち粘着剤層４０の配線１２ａ〜１２ｉ側の表面にシート状接着テープ５０が貼着されていることにより、情報表示層３０と表示装置用電極基板１０とを加熱によって接着する際に粘着剤層４０が溶融しても、溶融した粘着剤層４０がシート状接着テープ５０によって堰き止められ、配線１２ａ〜１２ｉに接触することが回避されることになる。
【００４３】
実際には、粘着剤層４０の情報表示層３０とは反対側の表面、すなわち粘着剤層４０の配線１２ａ〜１２ｉ側の表面にシート状接着テープ５０が貼着され、このシート状接着テープ５０によって表示装置用電極基板１０が接着されているため、粘着剤層４０の配線１２ａ〜１２ｉ側の表面にシート状接着テープ５０を貼着した後、常温にて表示装置用電極基板１０を接着する工程とすることにより、配線１２ａ〜１２ｉを有する表示装置用電極基板１０を接着する際に加熱する必要がなく、粘着剤層４０が溶融することがなくなるが、その場合でも、例え、粘着剤層４０が溶融したとしても、上記のように、溶融した粘着剤層４０が配線１２ａ〜１２ｉに接触することが回避されることになる。
【００４４】
これにより、図３（ｂ）に示すように、表示電極１１ａ，１１ｄ及び配線１２ｅが形成された領域の近傍においては、表示電極１１ａ，１１ｄが粘着剤層４０及びシート状接着テープ５０を介して情報表示層３０の隔壁３１の底部に当接しているものの、これら表示電極１１ａ，１１ｄが土手のように作用して配線１２ｅとシート状接着テープ５０とが当接していない状態が保たれる。そして、帯電性粒子３３が、印加された電圧によって隔壁内液体３３内をクーロン力で移動するものであることから、配線１２ｅと情報表示層３０との間隔が広がることによって印加された電圧の影響が小さくなると、図３（ｂ）に示すように帯電性粒子３３の移動が少なくなり、それにより、情報表示層３０の配線１２ｅに対向する領域においては、情報表示装置１を透明導電膜基板２０側から見た場合、表示電極１１ａ〜１１ｉに対向しない領域と同様に、白色と着色された色との中間色に見えることになる。
【００４５】
図４は、図２に示した情報表示装置１における情報の見え方を説明するための図であり、（ａ）は表示電極１１ａ，１１ｄ及び配線１２ｅが形成された領域の近傍の見え方を示す図、（ｂ）は全体の見え方を示す図である。
【００４６】
上述したように、図２に示した情報表示装置１において“０”を表示した場合、図４（ａ）に示すように、表示電極１１ａ，１１ｄ，１１ｇに対向する領域が着色した状態に見え、表示電極１１ｅに対向する領域が白色に見える。また、表示電極１１ａ〜１１ｉに対向しない領域においては、配線１２ｅに対向する領域も含めて、白色と着色された色との中間色に見えることになる。
【００４７】
これにより、この情報表示装置１を透明導電膜基板２０側から見た場合、表示電極１１ａ〜１１ｄ，１１ｆ〜１１ｉに対向する領域が着色された状態となるとともに、表示電極１１ｅに対向する領域が白色となった“０”が見えるようになる。そして、表示電極１１ａ〜１１ｉに対向しない領域においては、全ての領域において、白色と着色された色との中間色に見えることになり、表示された“０”の中に、“０”を表示するための白色や着色された色によって、表示とは無関係の線等が入ってしまうことがない。
【００４８】
このように本形態においては、情報表示層３０を表示装置用電極基板１０に接着するために情報表示層３０に積層された粘着剤層４０の情報表示層３０とは反対側の表面、すなわち粘着剤層４０の配線１２ａ〜１２ｉ側の表面にシート状接着テープ５０が貼着されていることにより、情報表示層３０と表示装置用電極基板１０とを接着する際に粘着剤層４０が溶融しても、溶融した粘着剤層４０がシート状接着テープ５０によって堰き止められ、配線１２ａ〜１２ｉに接触することがシート状接着テープ５０によって回避されることになり、それにより、情報表示層３０を表示装置用電極基板１０に接着する粘着剤層４０によって配線１２ａ〜１２ｉによる視認性低下が生じることを回避できる。
【００４９】
以下に、上述した効果を得るための絶縁性を具備するシート状接着テープ５０の構成について説明する。
【００５０】
図５は、図２に示した情報表示装置１においてシート状接着テープ５０が情報表示に及ぼす影響を説明するための図であり、（ａ）はシート状接着テープ５０の材質による影響を示す図、（ｂ）はシート状接着テープ５０の厚さによる影響を示す図である。
【００５１】
上述したように、本形態においては、情報表示層３０に積層された粘着剤層４０の情報表示層３０とは反対側の表面にシート状接着テープ５０が貼着されていることにより、情報表示層３０と表示装置用電極基板１０とを接着する際に粘着剤層４０が溶融しても、溶融した粘着剤層４０がシート状接着テープ５０によって堰き止められ、配線１２ａ〜１２ｉに接触することが回避されるが、絶縁性材料からなるシート状接着テープ５０が情報表示層３０と表示電極１１ａ〜１１ｉとの間に介在することになるため、その材質によっては、情報表示層３０の表示電極１１ａ〜１１ｉに対向する領域において、表示電極１１ａ〜１１ｉに印加された電圧に応じた情報が表示されなくなってしまう虞れがある。
【００５２】
そこで、シート状接着テープ５０の材質を変えて、情報表示層３０の表示電極１１ａ〜１１ｉに対向する領域において、表示電極１１ａ〜１１ｉに印加された電圧に応じた情報が表示されるかどうかの実験を行った。
【００５３】
すると、図５（ａ）に示すように、シート状接着テープ５０として、誘電率が３［Ｆ／ｍ］のＰＥＴを用いた場合、情報表示層３０の表示電極１１ａ〜１１ｉに対向する領域において、表示電極１１ａ〜１１ｉに印加された電圧に応じた情報が表示されなくなってしまった。
【００５４】
一方、シート状接着テープ５０として、誘電率が４．５［Ｆ／ｍ］のアクリルを用いた場合や、誘電率が７．１［Ｆ／ｍ］のウレタンを用いた場合や、誘電率が８．１［Ｆ／ｍ］のポリエステルを用いた場合は、情報表示層３０の表示電極１１ａ〜１１ｉに対向する領域において、表示電極１１ａ〜１１ｉに印加された電圧に応じた情報が表示された。
【００５５】
この実験結果により、シート状接着テープ５０としては、誘電率が４．５［Ｆ／ｍ］以上の材質のものを用いれば、溶融した粘着剤層４０が配線１２ａ〜１２ｉに接触することを回避しながらも、情報表示層３０の表示電極１１ａ〜１１ｉに対向する領域において、表示電極１１ａ〜１１ｉに印加された電圧に応じた情報を表示することができる。
【００５６】
また、シート状接着テープ５０の厚さが厚くなると、情報表示層３０と表示電極１１ａ〜１１ｉとの間隔が広がってしまうため、情報表示層３０の表示電極１１ａ〜１１ｉに対向する領域において、表示電極１１ａ〜１１ｉに印加された電圧に応じた情報が表示されなくなってしまう虞れがある。
【００５７】
そこで、シート状接着テープ５０の厚さを変えて、情報表示層３０の表示電極１１ａ〜１１ｉに対向する領域において、表示電極１１ａ〜１１ｉに印加された電圧に応じた情報が表示されるかどうかの実験を行った。
【００５８】
すると、図５（ｂ）に示すように、シート状接着テープ５０としてアクリルを用い、その厚さを２５［μｍ］や３０［μｍ］とした場合は、情報表示層３０の表示電極１１ａ〜１１ｉに対向する領域において、表示電極１１ａ〜１１ｉに印加された電圧に応じた情報が表示された。
【００５９】
一方、シート状接着テープ５０としてアクリルを用い、その厚さを５０［μｍ］とした場合は、情報表示層３０の表示電極１１ａ〜１１ｉに対向する領域において、表示電極１１ａ〜１１ｉに印加された電圧に応じた情報が表示されなくなってしまった。
【００６０】
この実験結果により、シート状接着テープ５０としてアクリルを用いた場合は、その厚さが３０［μｍ］以下であれば、溶融した粘着剤層４０が配線１２ａ〜１２ｉに接触することを回避しながらも、情報表示層３０の表示電極１１ａ〜１１ｉに対向する領域において、表示電極１１ａ〜１１ｉに印加された電圧に応じた情報を表示することができる。
【００６１】
なお、本形態においては、粘着剤層４０の情報表示層３０とは反対側の表面の全面にシート状接着テープ５０が貼着されているが、シート状接着テープ５０は、粘着剤層４０の情報表示層３０とは反対側の表面のうち、少なくとも配線の両側に沿う２つの表示電極のその配線に沿う端部に対向する領域間に渡って貼着されていれば、上述した効果を得ることができる。
【００６２】
また、本形態においては、情報表示層３０の配線１２ｅに対向する領域が、透明導電膜基板２０側から見た場合に、白色と着色された色との中間色に見えるものを例に挙げて説明したが、この領域にて見える色は、白色と着色された色との厳密な中間色に限らない。これは、表示電極１１ａ〜１１ｉに印加する電圧の大きさや、配線１２ｅと情報表示層３０との間隔、または、情報表示層３０における帯電性粒子３３の移動特性によって決まるものである。
【００６３】
また、表示電極が島状に孤立して形成されたものにおいては、配線の両側に沿うように、ダミー電極や樹脂等からなる電圧が印加されない土手部材を、表示電極と同一の高さに形成しておき、配線のベース基材上における形成高さをこの土手部材の形成高よりも低くすることにより、情報表示層と配線との間隔が広がり、さらに、上記同様に、シート状接着シートによって、溶融した粘着剤層がシート状接着テープによって堰き止められ、配線に接触することを防止することで、情報表示層において、配線に印加される電圧の影響を受けにくくなり、視認性が低下してしまうことを回避することができる。この場合も、シート状接着テープ５０は、粘着剤層４０の情報表示層３０とは反対側の表面のうち、少なくとも配線の両側に沿う２つの土手部材のその配線に沿う端部に対向する領域間に渡って貼着されていれば、上述した効果を得ることができる。
【００６４】
また、本形態においては、表示電極１１ａ〜１１ｉに印加された電圧に応じて白色と着色された色とが表示されるものを例に挙げて説明したが、表示電極１１ａ〜１１ｉに印加された電圧に応じて表示される色は、互いに識別可能な２色であればこれらの色に限らない。
【００６５】
また、本形態においては、表示電極１１ａ〜１１ｉに電圧を印加するための配線１２ａ〜１２ｉのベース基材１３上における形成高さが、表示電極１１ａ〜１１ｉのベース基材１３上における形成高さよりも低くなっているものを例に挙げて説明したが、表示電極１１ａ〜１１ｉ間に配置され、ベース基材１３上における形成高さを、表示電極１１ａ〜１１ｉのベース基材１３上における形成高さよりも低くして上記同様の効果を生じさせる配線としては、表示電極１１ａ〜１１ｉに接続されたものに限らない。
【００６６】
また、本形態においては、情報表示層３０として、隔壁内液体３２に分散した帯電性粒子３３が、表示電極１１ａ〜１１ｉに対する電圧印加によって表示電極１１ａ〜１１ｉ側または透明電極２１側に移動して表示が切り替わる垂直型電気泳動方式の薄型表示部材を例に挙げて説明したが、情報表示層３０としては、表示電極によって電圧が印加されることにより情報を表示する情報表示層を有するものであれば、コレステリック液晶や電子粉粒タイプのもの等、適宜適用することができる。
【符号の説明】
【００６７】
１    情報表示装置
１０    表示装置用電極基板
１１ａ〜１１ｉ    表示電極
１２ａ〜１２ｉ    配線
１３    ベース基材
２０    透明導電膜基板
２１    透明電極
２２    透明基板
３０    情報表示層
３１    隔壁
３２    隔壁内液体
３３    帯電性粒子
３４    シール層
４０    粘着剤層
５０    シート状接着テープ
【図１】
2015175866.tif 000003
【図２】
2015175866.tif 000004
【図３】
2015175866.tif 000005
【図４】
2015175866.tif 000006
【図５】
2015175866.tif 000007
【図６】
2015175866.tif 000008
【図７】
2015175866.tif 000009